(57)【要約】      （修正有）【課題】トレーディングカードに印字された二次元コードのデータを読み取りして、専用のトレーディングカード装置に画像及び音声を出すゲームを提供する。【解決手段】トレーディングカード用映像及び音声出力装置１は、二次元コードが印字されたトレーディングカードの挿入口３、音声出力するスピーカー４及びイヤホン出力口、大容量メモリーデバイス挿入口６、液晶画像表示ディスプレー２及び二次元コード読み取り装置により構成されている。プレーヤーが二次元コードの印字されたトレーディングカードを装置の挿入口３に差し入れると、自動的に電源が入り二次元コードの読み取りを開始する。読み取られた二次元コードのデータは制御装置に送られ、外部に通信すること無しに、関連付けされた情報が順次大容量メモリーデバイスから呼び出されて液晶画像表示ディスプレー２及びスピーカー４より出力される。【選択図】図１
2015229029.tif 000002
【特許請求の範囲】
【請求項１】
トレーディングカードゲームの映像及び音声出力装置であって、
トレーディングカードの挿入口、大容量メモリーデバイスの取り付け口、液晶画像表示画面、音声出力用スピーカー及び内蔵の二次元コード読み取り装置を具備しており、トレーディングカードの裏面に二次元コードが印字記録されたカードを装置の挿入口より差しれると自動的に電源が入りLED照明が印字されて二次元コードを照明表示する手段を備え、
前期装置内部の上部に設置されたイメージスキャナーにて二次元コード画像を切り出し、情報を取得する手段と、
前期取得された情報を大容量メモリーデバイスに送り、関連付けされた動画情報、音声ロム情報及び合成音声情報を順次呼び出して制御部に送る手段と、
前期呼び出されて制御部に送られた情報は、液晶画像表示画面及び音声出力用スピーカーより出力される事を特徴とするトレーディングカードゲームの映像及び音声出力装置。
【請求項２】
前期大容量メモリーデバイスに言語体系の異なる国の複数の合成音声とテキストデータを格納内蔵する手段と、前記制御信号が付加されたイメージデータと複数の異なった言語体系の合成音声に関連つけられた二次元コードを解析する手段と、
前記解析された二次元コードをデコードする手段と、前記選択されたイメージデータをデコードして取り出す手段と、前記デコードされたテキストデータを選択された言語制御信号に基づいて言語体系の異なる国の複数の合成音声から抽出する手段と、前記抽出された言語体系の異なる国の複数の合成音声の音素にて前記テキスト文書を音声化する手段と、を備えるトレーディングカードゲームの映像及び音声出力装置。
【発明の詳細な説明】
【技術分野】
【０００１】
本発明は、トレーディングカードに印字された二次元コードのデータを読み取りして、予め装着された大容量メモリーデバイスに記憶され且つ関連付けされた動画データ、静止画データ、音声ロムデータ及び合成音声から二次元コードの記録データに沿って、専用のトレーディングカード装置に画像及び音声を出力する装置に関する。
【背景技術】
【０００２】
従来から、カードを使用したゲーム機が知られている。例えば、下記特許文献１には、カードに印刷された新しいキャラクタを加えてゲームをプレイしたり、ゲーム展開によって姿が変化したキャラクタをカードに印刷したりすることができるゲーム機が開示されている。このゲーム機では、ゲーム機本体にコードリーダを設け、このコードリーダによってコードを読み取らせ、そのデコード情報をゲーム装置本体に送る。すると、ゲーム機本体は、そのデコード情報に基づいて新しいキャラクタを登録し、ゲームに参加させる。また、ゲームの進展によって姿が変化したキャラクタをカードにプリントする場合、ゲーム機本体からそのキャラクタの特性データをプリンタに送信し、カードのキャラクタとその特性データを示すコードとをプリントする。
【０００３】
また、下記特許文献２には、複数の二次元コード部分を有する複数のカードが各々選択された二次元コード部分を結合した状態で設置され得るプレイデッキと、プレイデッキに設けられ結合状態にある複数の二次元コード部分を同時に読み取るコード読取手段と、そのコード読取手段によって読み取られたコードをデコードしてデータを取得するデコード手段と 、そのデコード手段によって取得されたデータに基づいてゲームの進行を制御するゲーム進行制御手段と、を具備するように構成されるカードゲーム機。
【０００４】
上記従来技術のように、従来の二次元コードの記録容量が限定されており、そのために少ない情報を利用するためにデータ読み取りは一パターンであり、また複数のコードが持つ情報と組み合わせることで、より応用性の高いデータの利用を求めた。
【先行技術文献】
【特許文献】
【０００５】
【特許文献１】特開２００２−０６５９３６号公報
【特許文献２】特開２００７−３３０３８２号公報
【発明の概要】
【発明が解決しようとする課題】
【０００６】
本発明は、上述した問題点に鑑みてなされたものであり、その目的は、大容量記録可能で迅速な記号認識が可能な二次元コードを用いて、予め装着された大容量メモリーデバイスに記憶され且つ関連付けされた動画データ、静止画データ、音声ロムデータ及び合成音声から二次元コードの記録データに沿って、専用のトレーディングカード用映像及び音声出力装置を提供することにある。
【課題を解決するための手段】
【０００７】
上記目的を達成するために、本発明によれば、トレーディングカード用映像及び音声出力装置の構成は、二次元コードが印字されたトレーディングカードの挿入口、音声出力するスピーカー及びイヤホン出力口、大容量メモリーデバイス導入口、液晶画像表示ディスプレー及び二次元コード読み取り装置により構成されている。
【０００８】
トレーディングカードの裏面には、導入される大容量メモリーデバイスから呼び出しが可能となるようにタグ付けされた動画、静止画、音声ロム及び合成音声呼び出し信号が記録される。
【０００９】
導入される大容量メモリーデバイスには、トレーディングカードの二次元コード情報に対応する動画、静止画、音声ロム及び合成音声が複数タグ付けされて格納されている。
【００１０】
プレーヤーが二次元コードの印字されたトレーディングカードをトレーディングカード用映像及び音声出力装置の正面に位置する挿入口に差し入れると、
差し込み口に設置されたセンサーにより自動的に電源が入る。
【００１１】
プレーヤーはトレーディングカードを奥まで挿入すると、二次元コード読み取り装置のLED照明が点灯してトレーディングカード裏面に印字された二次元コードを上部に設置されたイメージセンサーが撮像する。
【００１２】
前期撮像された二次元コードは即座に画像のパターン認識処理を行い、また誤り訂正処理の後に二次元コードに記録されたデータを制御部に送る。
【００１３】
前期の二次元コードに記録されたデータは、大容量メモリーデバイスから関連付けられた動画、静止画、音声ロム及び合成音声情報を取り出す。
【００１４】
前期取り出された動画、静止画のデータは全面に設置された液晶画像表示画面に出力され、音声ロム及び合成音声情報はスピーカーより出力される。
【００１５】
これにより、プレーヤーはトレーディングカードに印字された二次元コードにより動画、静止画及び音声情報の取得が即座に可能となり、従来では出来なかった視覚・聴覚も連動したゲームが可能となる。
【００１６】
従来の小容量の二次元コードでは、通信手段を活用して情報をサーバーから取得してゲームの進行を行ったが、本装置は通信を行うこと無しに大容量メモリーデバイスから直接情報の取得が可能となる。
【００１７】
近年の著しい技術革新により、イメージスキャナーの高画素化とCPU処理速度の高速化により読取精度が飛躍的に拡大していることにより、旧来とは異なり高速な記号認識が可能で大容量のデータ記録が可能な二次元コードが開発されている。
【発明の効果】
【００１８】
本発明によるトレーディングカード用映像及び音声出力装置にあっては、トレーディングカードの裏面に印字記録された情報と大容量メモリーデバイスを関連付けて連動させることにより、従来のトレーディングカード表面の印刷静止画像のみならず動画及び音声も取得が可能となるので、ゲームの楽しみ方をダイナミックに変化させることが可能となる。
【図面の簡単な説明】
【００１９】
【図１】本発明によるトレーディングカード用映像及び音声出力装置を示す概念図である。
【図２】トレーディングカードの裏面に印字された二次元コードを示す図である。
【図３】大容量メモリーデバイスに記録される動画、静止画、音声ロム及び合成音声がタグ付けされて記録されている例を示す図である。
【図４】二次元コード読み取り装置の構成図を示す図である。
【図５】本発明によるトレーディングカード用映像及び音声出力装置の処理手順を示すフローチャートである。
【発明を実施するための形態】
【００２０】
以下、添付図面を参照して本発明の実施形態について説明する。図１は、本発明によるトレーディングカード用映像及び音声出力装置（１）の概要図である。本発明の装置は卓上タイプを想定しており、トレーディングカード（７）の裏面に印字された二次元コード（８）、トレーディングカード本体挿入口（３）、液晶画像表示画面（２）、大容量メモリーデバイス導入口（６）、音声出力用スピーカー（４）及び二次元コード読み取り装置（１０）によって構成されている。
【００２１】
トレーディングカード（７）の裏に印字される二次元コード（８）には、大容量メモリーデバイス（９）に記録されてタグ付けされた動画、静止画、音声ロム及び合成音声に関連付けて情報を記録させる。
【００２２】
大容量メモリーデバイス（９）は、図3に例が示されているように、ゲームに必要とされる動画、静止画及び音声ロム情報が複数個タグ付けされて記録格納されている。
【００２３】
図４の二次元コード読み取り装置は、LED照明（１２）、イメージセンサー（１１）、イメージセンサー用レンズ（１４）及び制御回路（１３）により構成されている。
【００２４】
トレーディングカード用映像及び音声出力装置（１）にて図２に示されるトレーディングカード（７）に印字された二次元コード（８）を読み取りするには、まずトレーディングカード挿入口（３）に二次元コード（８）を上側にして奥まで差し込む。
【００２５】
トレーディングカード（７）が挿入口（１）に差し込まれると、センサー（５）が感知して電源をONにして、図４の二次元コード読み取り装置（１０）のLED（１２）を照明させて、差し込まれたトレーディングカード（７）の裏面に印字された二次元コード（８）を明るく照らす。
【００２６】
前期と連動して、図４の二次元コード読み取り装置（１０）のイメージセンサー（１１）とイメージセンサー用レンズ（１４）が二次元コード（８）を撮像して、制御回路（１３）に送る。
【００２７】
前期で撮像された二次元コード（８）の画像は、制御回路（１３）のスキャニング処理により画像パターンが認識されて、二次元コードに記録されていたデータが取り出される。
【００２８】
前期で取り出された二次元コードのデータは、大容量メモリーデバイス（９）に照合されて、二次元コード（８）に記録されたタグ付けデータを大容量メモリーデバイス（９）より取り出す。
【００２９】
前期で大容量メモリーデバイス（９）より取り出されたデータは制御回路（１３）により選別されて、動画及び静止画のデータは液晶画像表示画面（２）に出力され、音声ロム及び合成音声データは音声出力スピーカー（４）に出力される。
【００３０】
これらの処理手順は図５のフローチャートに示されている。
【符号の説明】
【００３１】
１    トレーディングカード用映像及び音声出力装置
２    液晶画像表示画面
３    トレーディングカード挿入口
４    音声出力用スピーカー
５    電源ＯＮ／ＯＦＦセンサー
６    大容量メモリーデバイス導入口
７    トレーディングカード裏面
８    トレーディングカードの裏面に印字された二次元コード
９    大容量メモリーデバイス
１０  二次元コード読み取り装置構成図
１１  イメージセンサー
１２  照明用ＬＥＤ  
１３  制御回路
１４  イメージセンサー用レンズ
【図１】
2015229029.tif 000003
【図２】
2015229029.tif 000004
【図３】
2015229029.tif 000005
【図４】
2015229029.tif 000006
【図５】
2015229029.tif 000007